(57)【要約】【課題】光受信装置の補償器に補償量が設定されるまでの時間を短縮すること。【解決手段】光受信装置１は、補償部４、制御部２及び第１設定部３を有している。制御部２は、第１波長の光信号に対する特性の第１変化量、第１波長、及び特性の変化量の波長特性に基づいて、第１波長と異なる第２波長の光信号を受信するときの特性の第２変化量を求める。制御部２は、第２変化量に基づいて補償量を求める。第１設定部３は、補償部４に補償量を設定する。補償部４は、光信号を受信するときの特性の変化量を補償する。【選択図】図１
2014023068.tif 000002
【特許請求の範囲】
【請求項１】
光信号を受信するときの特性の変化量を補償する補償部と、
第１波長の光信号に対する前記特性の第１変化量、前記第１波長、及び前記特性の変化量の波長特性に基づいて、前記第１波長と異なる第２波長の光信号を受信するときの前記特性の第２変化量を求め、前記第２変化量に基づいて補償量を求める制御部と、
前記補償部に前記補償量を設定する第１設定部と、
を備えることを特徴とする光受信装置。
【請求項２】
前記第１変化量及び前記第２変化量は、同一の伝送区間に対する前記特性の変化量であることを特徴とする請求項１に記載の光受信装置。
【請求項３】
前記第１波長の光信号を受信し、前記第１波長及び前記第１変化量に関する情報を前記制御部へ供給する受信器を備えることを特徴とする請求項１または２に記載の光受信装置。
【請求項４】
前記受信器は、デジタル信号処理によって前記特性の変化量を求めて補償することを特徴とする請求項３に記載の光受信装置。
【請求項５】
前記第２波長の光信号の第２伝送区間が、前記第１波長の光信号の第１伝送区間と、前記第２波長と異なる第３波長の光信号の第３伝送区間との和または差で表される場合、
前記制御部は、
前記第１波長の光信号が前記第１伝送区間を伝搬する場合の前記特性の変化量、前記第１波長、及び前記特性の変化量の波長特性に基づいて、前記第２波長の光信号が前記第１伝送区間を伝搬する場合の前記特性の第３変化量を求め、
前記第３波長の光信号が前記第３伝送区間を伝搬する場合の前記特性の変化量、前記第３波長、及び前記特性の変化量の波長特性に基づいて、前記第２波長の光信号が前記第３伝送区間を伝搬する場合の前記特性の第４変化量を求め、
前記第３変化量と前記第４変化量との和または差に基づいて、前記第２伝送区間を伝搬する前記第２波長の光信号を受信するときの前記特性の第２変化量を求めることを特徴とする請求項１に記載の光受信装置。
【請求項６】
第１波長の光信号に対する特性の第１変化量、前記第１波長、及び前記特性の変化量の波長特性に基づいて、前記第１波長と異なる第２波長の光信号を受信するときの前記特性の第２変化量を求め、
前記第２変化量に基づいて前記第２変化量を補償する補償量を求め、
光信号を受信するときの特性の変化量を補償する補償部に前記補償量を設定することを特徴とする特性補償方法。
【発明の詳細な説明】
【技術分野】
【０００１】
この発明は、光受信装置及び特性補償方法に関する。
【背景技術】
【０００２】
従来、光伝送システムにおける特性補償方法の一つに分散補償方法がある。例えば、制御部が、光伝送装置により測定される実分散量と各伝送区間の設計分散量とに基づいて各伝送区間の補償量を計算し、各光伝送装置が、制御部から通知される補償量に基づいて分散量を補償する方法がある。また、光信号を分岐させてそれぞれの光信号に対して分散補償を行い、補償済みの一方の光信号の通信品質の変化方向に基づいて分散量の増減方向を判定し、その判定結果に基づいて他方の光信号に対する補償量を制御する方法がある。
【先行技術文献】
【特許文献】
【０００３】
【特許文献１】特開２００５−３１８４７４号公報
【特許文献２】特開２０１１−１１４４０２号公報
【発明の概要】
【発明が解決しようとする課題】
【０００４】
可変分散補償器を有する光受信装置において、適切な補償量を探索し、可変分散補償器に適切な補償量を設定することによって、波長分散を補償することができる。光伝送システムの運用上の分散補償範囲において可変分散補償器の補償量を少しずつ変えていくと、分散補償済みの光信号における誤りの発生数は、下に凸の二次関数的に変化していく。可変分散補償器に補償量が過不足なく設定されると、分散補償済みの光信号の誤りの発生数が最小となる。従って、誤りの発生数を監視しながら可変分散補償器の補償量を少しずつ変えていくことによって、誤りの発生数が最小になる補償量の最適点を求めることができる。
【０００５】
例えば、分散補償の制御範囲を例えば−５００ｐｓ／ｎｍ〜＋５００ｐｓ／ｎｍとし、例えば１０ｐｓ／ｎｍステップで補償量の最適点を探索する場合、１００回のステップが必要となる。可変分散補償器に補償量を設定してから可変分散補償器の補償量が設定値になるまで、１ステップあたり例えば１００ｍｓｅｃ程度の時間がかかることがある。従って、１００ステップの探索が終わるまでに１０秒程度の時間を要することがある。
【０００６】
このような従来方法によって、特性の変化量を補償する補償器の補償量の最適点を探索する方法では、補償量の最適点が見つかり、補償器に適切な補償量が設定されるまでに時間がかかることがある。そのため、光受信装置の運用開始時に信号の疎通までの時間が長い場合がある。また、ＯＵＰＳＲ（Ｏｐｔｉｃａｌ  Ｕｎｉ−ｄｉｒｅｃｔｉｏｎａｌ  Ｐａｔｈ  Ｓｗｉｔｃｈｅｄ  Ｒｉｎｇ）などのプロテクション制御によって信号経路の切り替えが実施されるときも、切り替えの完了までの時間が長い場合がある。
【０００７】
補償器に補償量が設定されるまでの時間を短縮することができる光受信装置及び特性補償方法を提供することを目的とする。
【課題を解決するための手段】
【０００８】
光受信装置は、補償部、制御部及び第１設定部を有している。制御部は、第１波長の光信号に対する特性の第１変化量、第１波長、及び特性の変化量の波長特性に基づいて、第１波長と異なる第２波長の光信号を受信するときの特性の第２変化量を求める。制御部は、第２変化量に基づいて補償量を求める。第１設定部は、補償部に補償量を設定する。補償部は、光信号を受信するときの特性の変化量を補償する。
【発明の効果】
【０００９】
この光受信装置及び特性補償方法によれば、補償器に補償量が設定されるまでの時間を短縮することができる。
【図面の簡単な説明】
【００１０】
【図１】図１は、実施の形態にかかる光受信装置の一例を示す図である。
【図２】図２は、図１に示す光受信装置における信号の流れを示す図である。
【図３】図３は、実施の形態にかかる特性補償方法の一例を示す図である。
【図４】図４は、実施の形態にかかる光伝送システムの一例を示す図である。
【図５】図５は、実施の形態にかかる光受信装置の別の例を示す図である。
【図６】図６は、図５に示す光受信装置における信号の流れを示す図である。
【図７】図７は、図５に示す光受信装置の受信器Ａの一例を示す図である。
【図８】図８は、図７に示す受信器Ａにおける信号の流れを示す図である。
【図９】図９は、図５に示す光受信装置の受信器Ｂの一例を示す図である。
【図１０】図１０は、図９に示す受信器Ｂにおける信号の流れを示す図である。
【図１１】図１１は、図９に示す受信器Ｂの分散補償ブロックＢの動作の一例を説明する図である。
【図１２】図１２は、図５に示す光受信装置の制御ユニットの一例を示す図である。
【図１３】図１３は、図１２に示す制御ユニットの動作の一例を説明する図である。
【図１４】図１４は、図１２に示す制御ユニットの動作の一例を説明する図である。
【図１５】図１５は、実施の形態にかかる光受信装置の別の例を示す図である。
【図１６】図１６は、図１５に示す光受信装置における信号の流れを示す図である。
【図１７】図１７は、図１５に示す光受信装置の制御ユニットの一例を示す図である。
【図１８】図１８は、図１７に示す制御ユニットの動作の一例を説明する図である。
【図１９】図１９は、実施の形態にかかる光伝送システムの別の例を示す図である。
【図２０】図２０は、図１９に示す光伝送システムの信号疎通区間テーブルの一例を示す図である。
【図２１】図２１は、図１９に示す光伝送装置Ｚの制御ユニットの動作の一例を説明する図である。
【発明を実施するための形態】
【００１１】
以下に添付図面を参照して、この光受信装置及び特性補償方法の好適な実施の形態を詳細に説明する。
【００１２】
・光受信装置の一例
図１は、実施の形態にかかる光受信装置の一例を示す図である。図２は、図１に示す光受信装置における信号の流れを示す図である。図１及び図２に示すように、光受信装置１は、制御部２、第１設定部３及び補償部４を有している。光受信装置１は、図示省略する光ファイバなどの光伝送路に接続されている。光受信装置１は、光伝送路から入力される光信号を受信する。
【００１３】
補償部４は、例えば光伝送路に接続されていてもよい。また、補償部４は、第１設定部３に接続されている。補償部４は、第１設定部３により設定される補償量に基づいて、例えば光伝送路から入力する光信号を受信するときの特性の変化量を補償する。光信号が補償部４を通過することによって、光信号が光伝送路中を伝搬する間に生じる特性の変化量が補償される。補償部４からは、補償済みの光信号が出力される。特性の変化の一例として、例えば波長分散や偏波モード分散が挙げられる。
【００１４】
制御部２は、例えば光受信装置１内の図示省略する他の回路から、第１波長の光信号に対する特性の第１変化量、第１波長、及び特性の変化量の波長特性の各情報を受け取ってもよい。あるいは、第１変化量、第１波長、及び特性の変化量の波長特性の各情報が、図示しない他の光受信装置などの装置から光受信装置１に通知されてもよい。
【００１５】
制御部２は、第１変化量、第１波長、及び特性の変化量の波長特性に基づいて、光受信装置１が第１波長と異なる第２波長の光信号を受信するときの特性の第２変化量を求める。制御部２は、第２変化量に基づいて補償量を求める。第１設定部３は、制御部２に接続されている。第１設定部３は、補償部４に補償量を設定する。
【００１６】
・特性補償方法の一例
図３は、実施の形態にかかる特性補償方法の一例を示す図である。図３に示す特性補償方法は、図１に示す光受信装置１により実施されてもよい。本実施例は、一例として図１に示す光受信装置１により実施される場合について説明する。この特性補償方法は、光受信装置１の運用が開始されるときや、プロテクション制御によって信号経路の切り替えが実施されるときに実施されてもよい。また、光伝送路の特性が時間の経過とともに変動する場合には、常時、この特性補償方法が実施されてもよい。
【００１７】
図３に示すように、光受信装置１において特性補償方法が開始されると、制御部２は、光受信装置１内の他の回路または他の光受信装置などの装置から、第１波長の光信号に対する特性の第１変化量、第１波長、及び特性の変化量の波長特性の各情報を受け取る。そして、制御部２は、第１波長、第１変化量及び波長特性に基づいて、第１波長と異なる第２波長の光信号を受信するときの特性の第２変化量を求める（ステップＳ１）。
【００１８】
次いで、制御部２は、第２変化量に基づいて、第２変化量を補償する補償量を求め（ステップＳ２）、補償量の情報を第１設定部３へ出力する。次いで、第１設定部３は、制御部２から補償量の情報を受け取り、補償部４に補償量を設定する（ステップＳ３）。それによって、特性補償方法が終了する。
【００１９】
図１に示す光受信装置１及び図３に示す特性補償方法によれば、第１波長の光信号に対する特性の第１変化量に基づいて、第２波長の光信号を受信するときの補償量を求めることによって、従来よりも短い時間で好適な補償量が求まる。それによって、補償器に補償量が設定されるまでの時間が短縮される。従って、光受信装置の運用開始時における信号の疎通までの時間や、プロテクション制御によって信号経路の切り替えが実施される場合の切り替えの完了までの時間を短縮することができる。
【００２０】
・光伝送システムの一例
図４は、実施の形態にかかる光伝送システムの一例を示す図である。図４に示すように、光伝送システムは、例えば光伝送装置１１，２１及び光増幅中継器１８を有していてもよい。例えば、光伝送装置１１，２１及び光増幅中継器１８は、光ファイバなどの光伝送路３０，３１，３２，３３を介して連なっていてもよい。受信側の光伝送装置２１は、実施の形態にかかる光受信装置の一例である。
【００２１】
送信側の光伝送装置１１は、１つまたは複数の送信器１５，１６，１７を有している。各送信器１５，１６，１７は、例えば波長は異なるが、同じ通信方式の光信号を送信してもよいし、波長も通信方式も異なる光信号を送信してもよい。
【００２２】
例えば、送信器＃１＿１５は、データ転送速度が１００ＧｂｐｓであるＤＰＱＰＳＫ（Ｄｕａｌ−Ｐｏｌａｒｉｚａｔｉｏｎ  Ｑｕａｄｒａｔｕｒｅ  Ｐｈａｓｅ  Ｓｈｉｆｔ  Ｋｅｙｉｎｇ、偏波直交４位相偏移変調）方式の光信号を送信してもよい。例えば、送信器＃２＿１６は、データ転送速度が４０ＧｂｐｓであるＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ、差動４位相偏移変調）方式の光信号を送信してもよい。
【００２３】
各送信器１５，１６，１７から送信される光信号は、マルチプレクサ１４により合波され、カプラ１２により、上流側の光伝送路３０から送信されてくる光信号に結合され、ポストアンプ１３により増幅されて下流側の光伝送路３１へ送出される。図示省略するが、送信側の光伝送装置１１は、上流から送信されてくる光信号を受信する受信部を有していてもよい。受信部の構成については、後述する受信側の光伝送装置２１と同様であってもよい。
【００２４】
光増幅中継器１８は、例えばＤＣＦ（Ｄｉｓｐｅｒｓｉｏｎ  Ｃｏｍｐｅｎｓａｔｉｎｇ  Ｆｉｂｅｒ、分散補償ファイバ）１９により、上流側の光伝送路３１中を伝搬してくる光信号の波長分散を補償し、アンプ２０により光信号を増幅して下流側の光伝送路３２へ送出する。
【００２５】
受信側の光伝送装置２１は、１つまたは複数の受信器２７，２８，２９を有している。各受信器２７，２８，２９は、例えば波長は異なるが、同じ通信方式の光信号を受信してもよいし、波長も通信方式も異なる光信号を受信してもよい。
【００２６】
例えば、受信器＃１＿２７は、データ転送速度が１００ＧｂｐｓであるＤＰＱＰＳＫ方式の光信号を受信してもよい。例えば、受信器＃２＿２８は、データ転送速度が４０ＧｂｐｓであるＤＱＰＳＫ方式の光信号を受信してもよい。
【００２７】
受信側の光伝送装置２１において、上流側の光伝送路３２から送信されてくる光信号は、例えばＤＣＦ２２により波長分散が補償され、プリアンプ２３により増幅される。プリアンプ２３から出力される光信号のうち、各受信器２７，２８，２９により受信される光信号は、波長選択スイッチ２４により選択され、デマルチプレクサ２６により波長ごとに分波されて各受信器２７，２８，２９により受信される。
【００２８】
一方、波長選択スイッチ２４を通過する光信号は、ポストアンプ２５により増幅されて下流側の光伝送路３３へ送出される。図示省略するが、受信側の光伝送装置２１は、下流側へ光信号を送信する送信部を有していてもよい。送信部の構成については、上述する送信側の光伝送装置１１と同様であってもよい。
【００２９】
・光受信装置の別の例
図５は、実施の形態にかかる光受信装置の別の例を示す図である。図６は、図５に示す光受信装置における信号の流れを示す図である。図５に示す光受信装置は、図４に示す受信側の光伝送装置２１の一例である。
【００３０】
図５及び図６に示すように、光受信装置４１は、受信器Ａ４２、受信器Ｂ４３及び制御ユニット４４を有している。受信器Ａ４２は、光信号を受信するときの特性の変化量の情報を出力する受信器の一例である。受信器Ａ４２及び受信器Ｂ４３は、同一の伝送区間を伝搬してくる光信号を受信してもよい。制御ユニット４４は、制御部の一例である。受信器Ａ４２及び受信器Ｂ４３は、例えばデマルチプレクサ２６（図４参照）に接続されていてもよい。受信器Ａ４２、受信器Ｂ４３及び制御ユニット４４は、それぞれ独立したカードであり、光受信装置４１の筐体に着脱可能に装着されていてもよい。
【００３１】
受信器Ａ４２は、光信号を受信するときの特性の変化量の情報を出力する。本実施例においては、光信号を受信するときの特性の変化が例えば波長分散であるとして説明する。従って、受信器Ａ４２は、波長λ1の光信号を受信するときの残留分散量の情報を出力する。
【００３２】
残留分散量の情報を出力する受信器の一例として、例えばデジタルコヒーレント受信器がある。デジタルコヒーレント受信器は、光信号を受信し、光電変換により光信号から生成される電気信号に対するデジタル信号処理によって残留分散量を求め、残留分散量を補償する。本実施例においては、受信器Ａ４２が例えばデジタルコヒーレント受信器であるとして説明する。
【００３３】
また、受信器Ａ４２は、波長λ1の情報を出力する。また、受信器Ａ４２は、受信信号に対する信号消失（ＬＯＳ：Ｌｏｓｓ  ｏｆ  Ｓｉｇｎａｌ）及びフレーム損失（ＬＯＦ：Ｌｏｓｓ  ｏｆ  Ｆｒａｍｅ）の一方または両方の情報（図６中にＬＯＳ／ＬＯＦ情報と略記）を出力する。これ以降、信号消失及びフレーム損失の一方または両方の情報をＬＯＳ／ＬＯＦ情報と表記する。
【００３４】
受信器Ｂ４３は、光信号を受信するときの特性の変化を補償するデバイスを有する。特性の変化が例えば波長分散である場合、特性の変化を補償するデバイスは、例えば可変分散補償器であってもよい。本実施例においては、受信器Ｂ４３は、可変分散補償器を有するとして説明する。
【００３５】
受信器Ｂ４３の可変分散補償器には、制御ユニット４４から供給される分散補償制御量情報に基づいて補償量が設定される。それによって、可変分散補償器は、受信器Ｂ４３が波長λ2の光信号を受信するときの波長分散を補償する。また、詳細については後述するが、受信器Ｂ４３は、波長λ2の光信号を受信するときの誤りを検出し、その検出結果に基づいて、可変分散補償器に補償量を設定することができるようになっている。
【００３６】
受信器Ｂ４３は、制御ユニット４４から供給される選択制御信号に基づいて可変分散補償器に、分散補償制御量情報に基づいて補償量を設定するか、誤りの検出情報に基づいて補償量を設定するか、を選択する。また、受信器Ｂ４３は、波長λ2の情報を出力する。また、受信器Ｂ４３は、誤りの検出結果であるエラー情報を出力する。
【００３７】
制御ユニット４４は、受信器Ａ４２及び受信器Ｂ４３に接続されている。制御ユニット４４は、受信器Ａ４２からＬＯＳ／ＬＯＦ情報、波長λ1の情報、及び残留分散量の情報を受け取る。制御ユニット４４は、受信器Ｂ４３から波長λ2の情報及びエラー情報を受け取る。
【００３８】
制御ユニット４４は、波長λ1の情報、波長λ2の情報、及び波長分散の波長特性の情報に基づいて、波長λ2の光信号に対する残留分散量を求める。制御ユニット４４は、波長λ2の光信号に対する残留分散量に基づいて、分散補償制御量情報を生成し、受信器Ｂ４３に分散補償制御量情報を供給する。制御ユニット４４は、ＬＯＳ／ＬＯＦ情報に基づいて選択制御信号を生成し、受信器Ｂ４３に選択制御信号を供給する。
【００３９】
・特性の変化量の情報を出力する受信器の一例
図７は、図５に示す光受信装置の受信器Ａの一例を示す図である。図８は、図７に示す受信器Ａにおける信号の流れを示す図である。図７及び図８に示すように、受信器Ａ４２（図５参照）の一例であるデジタルコヒーレント受信器５１は、偏波ビームスプリッタ（図７中にＰＢＳと略記）５２，５３、局発光源（図７中にＬＯと略記）５４、光ハイブリッド５５及びフォトダイオード群（図７中にＰＤと略記）５６を有している。
【００４０】
第１の偏波ビームスプリッタ５２は、例えばデマルチプレクサ２６（図４参照）に接続されていてもよい。第１の偏波ビームスプリッタ５２は、波長λ1の光信号を垂直偏波と水平偏波に分離する。局発光源５４は、局部発振光を出力する。第２の偏波ビームスプリッタ５３は、局発光源５４に接続されている。第２の偏波ビームスプリッタ５３は、局部発振光を垂直偏波と水平偏波に分離する。
【００４１】
光ハイブリッド５５は、偏波ビームスプリッタ５２，５３に接続されている。光ハイブリッド５５は、偏波ビームスプリッタ５２から出力される偏波成分の光信号と、偏波ビームスプリッタ５３から出力される偏波成分の光信号とを混合し、各偏波成分の光信号について直交成分Ｉ、Ｑの光信号を出力する。フォトダイオード群５６は、光ハイブリッド５５に接続されている。フォトダイオード群５６は、光ハイブリッド５５から出力される各偏波成分の直交成分Ｉ、Ｑの光信号を光電変換してアナログ電気信号にする。
【００４２】
また、デジタルコヒーレント受信器５１は、アナログデジタル変換器（図７中にＡＤＣと略記）５７、デジタル信号プロセッサ（図７中にＤＳＰと略記）５８、並びにマルチプレクサ及び出力インタフェース（図７中にＭｕｘ／出力ＩＦと略記）６０を有している。デジタル信号プロセッサ５８は、分散補償ブロックＡ５９を有している。
【００４３】
アナログデジタル変換器５７は、フォトダイオード群５６に接続されている。アナログデジタル変換器５７は、フォトダイオード群５６から出力されるアナログ電気信号をデジタル電気信号に変換する。デジタル信号プロセッサ５８は、アナログデジタル変換器５７に接続されている。デジタル信号プロセッサ５８は、アナログデジタル変換器５７の出力信号に対してデジタル信号処理を行う。
【００４４】
デジタル信号プロセッサ５８は、デジタル信号処理によって、受信信号における波長分散などの特性の変動を補償する。分散補償ブロックＡ５９は、デジタル信号処理によって受信信号における残留分散量を求め、残留分散量に対応する波長分散の補償量を用いて波長分散を補償する。分散補償ブロックＡ５９は、残留分散量の情報を出力する。デジタルコヒーレント受信器において、分散制御を行う技術、及び残留分散量の情報を参照する技術については、公知である。
【００４５】
マルチプレクサ及び出力インタフェース６０は、デジタル信号プロセッサ５８に接続されている。マルチプレクサ及び出力インタフェース６０は、デジタル信号プロセッサ５８の出力信号を複数のデータ信号にして出力する。デジタル信号プロセッサ５８は、アナログデジタル変換器５７を含んでいてもよいし、マルチプレクサ及び出力インタフェース６０を含んでいてもよい。
【００４６】
また、デジタルコヒーレント受信器５１は、フレーマ６１及びコントローラＡ６３を有している。コントローラＡ６３は、第１設定部の一例である。フレーマ６１は、信号消失及びフレーム損失の一方または両方を検出する検出ブロック（図７中にＬＯＳ／ＬＯＦ検出ブロックと略記）６２を有している。これ以降、信号消失及びフレーム損失の一方または両方を検出する検出ブロックをＬＯＳ／ＬＯＦ検出ブロックと表記する。
【００４７】
フレーマ６１は、マルチプレクサ及び出力インタフェース６０に接続されている。フレーマ６１は、マルチプレクサ及び出力インタフェース６０の出力信号を所定のデータフレームにマッピングする。ＬＯＳ／ＬＯＦ検出ブロック６２は、フレーマ６１によりデータフレームに信号がマッピングされる際に、信号消失やフレーム損失が発生するか否かを検出する。ＬＯＳ／ＬＯＦ検出ブロック６２は、ＬＯＳ／ＬＯＦ情報を出力する。
【００４８】
コントローラＡ６３は、分散補償ブロックＡ５９及びＬＯＳ／ＬＯＦ検出ブロック６２に接続されている。コントローラＡ６３は、ＬＯＳ／ＬＯＦ情報、波長λ1の情報及び残留分散量の情報を制御ユニット４４（図６参照）へ出力する。
【００４９】
・特性の変化を補償するデバイスを有する受信器の一例
図９は、図５に示す光受信装置の受信器Ｂの一例を示す図である。図１０は、図９に示す受信器Ｂにおける信号の流れを示す図である。図９及び図１０に示すように、受信器Ｂ４３（図５参照）の一例である受信器７１は、例えば可変分散補償器７２を有している。可変分散補償器７２は、補償部の一例である。
【００５０】
可変分散補償器７２は、例えばデマルチプレクサ２６（図４参照）に接続されていてもよい。可変分散補償器７２は、後述するセレクタ８０から出力される分散補償制御量情報に基づいて設定される補償量によって、受信器７１が波長λ2の光信号を受信するときの波長分散を補償する。
【００５１】
また、受信器７１は、遅延干渉計７３及びフォトダイオード群（図９中にＰＤと略記）７４を有している。遅延干渉計７３は、可変分散補償器７２に接続されている。遅延干渉計７３は、可変分散補償器７２を通過する光信号と、この光信号を遅延させた光信号とを干渉させて直交成分Ｉ、Ｑの光信号を出力する。フォトダイオード群７４は、遅延干渉計７３に接続されている。フォトダイオード群７４は、遅延干渉計７３から出力される直交成分Ｉ、Ｑの光信号を光電変換してアナログ電気信号にする。
【００５２】
また、受信器７１は、マルチプレクサ及びデシリアライザ（図９中にＭｕｘ／ＤＥＳと略記）７５、フレーマ７６並びにコントローラＢ７８を有している。フレーマ７６は、受信器７１が受信する信号の誤りを検出する検出ブロックを有する。この検出ブロックは、前方誤り訂正（ＦＥＣ：Ｆｏｒｗａｒｄ  Ｅｒｒｏｒ  Ｃｏｒｒｅｃｔｉｏｎ）を行うブロックであってもよい。本実施例では、この検出ブロックを、例えば前方誤り訂正を行うＦＥＣモニタブロック７７とする。ＦＥＣモニタブロック７７は、検出部の一例である。
【００５３】
マルチプレクサ及びデシリアライザ７５は、フォトダイオード群７４に接続されている。マルチプレクサ及びデシリアライザ７５は、フォトダイオード群７４から出力される信号を複数のデータ信号にして出力する。
【００５４】
フレーマ７６は、マルチプレクサ及びデシリアライザ７５に接続されている。フレーマ７６は、マルチプレクサ及びデシリアライザ７５の出力信号を所定のデータフレームにマッピングする。ＦＥＣモニタブロック７７は、フレーマ７６によりデータフレームに信号がマッピングされる際に、誤りを検出して訂正する。ＦＥＣモニタブロック７７は、誤りの数を表すエラー情報を出力する。
【００５５】
コントローラＢ７８は、ＦＥＣモニタブロック７７及び制御ユニット４４（図６参照）に接続されている。コントローラＢ７８は、ＦＥＣモニタブロック７７からエラー情報を受け取り、エラー情報及び波長λ2の情報を制御ユニット４４へ出力する。コントローラＢ７８は、デジタルコヒーレント受信器５１のコントローラＡ６３が出力する分散補償制御量情報、及び制御ユニット４４において生成される選択制御信号を、制御ユニット４４から受け取り、分散補償制御量情報及び選択制御信号を後述するセレクタ８０へ出力する。
【００５６】
また、受信器７１は、分散補償ブロックＢ７９及びセレクタ８０を有している。分散補償ブロックＢ７９は、第２設定部の一例である。セレクタ８０は、選択部の一例である。分散補償ブロックＢ７９は、ＦＥＣモニタブロック７７に接続されている。分散補償ブロックＢ７９は、ＦＥＣモニタブロック７７からエラー情報を受け取り、エラー情報に基づいて例えば二分法などの従来方法により、分散補償制御量情報を生成する。
【００５７】
セレクタ８０は、コントローラＢ７８及び分散補償ブロックＢ７９に接続されている。セレクタ８０は、コントローラＢ７８から出力される選択制御信号に基づいて、制御ユニット４４を介してデジタルコヒーレント受信器５１から供給される分散補償制御量情報、及び分散補償ブロックＢ７９から出力される分散補償制御量情報のいずれか一方を選択する。可変分散補償器７２には、デジタルコヒーレント受信器５１から供給される分散補償制御量情報、及び分散補償ブロックＢ７９から出力される分散補償制御量情報のうち、セレクタ８０により選択される分散補償制御量情報に基づいて補償量が設定される。
【００５８】
図１１は、図９に示す受信器Ｂの分散補償ブロックＢの動作の一例を説明する図である。図１１に示すように、可変分散補償器の補償量を少しずつ変えていくと、可変分散補償器を通過する光信号の誤りの発生数は、下に凸の二次関数的に変化していく。分散補償ブロックＢ７９（図９参照）は、可変分散補償器７２（図９参照）にＤ、［Ｄ−Δｄ］及び［Ｄ＋Δｄ］の３点の補償量を設定し、それぞれのときの可変分散補償器を通過する光信号の誤りの発生数を監視する。そして、分散補償ブロックＢ７９は、Ｄ、［Ｄ−Δｄ］及び［Ｄ＋Δｄ］の３点のうち、誤りの数が小さい補償量を選択する。
【００５９】
分散補償ブロックＢ７９は、この選択動作を、可変分散補償器の制御範囲の全域に対してＤを少しずつ変えながら繰り返し行うことによって、誤りの発生数が最も小さくなるときの補償量の最適点を求める。最適点における補償量の情報が、分散補償ブロックＢ７９から出力される分散補償制御量情報である。図１１に示す例では、可変分散補償器の制御範囲は、例えばエラー発生閾値によって決められている。エラー発生閾値は、例えば前方誤り訂正の冗長ビット数によって許容される誤りの数の最大値であってもよい。
【００６０】
・制御ユニットの一例
図１２は、図５に示す光受信装置の制御ユニットの一例を示す図である。図１２に示すように、制御ユニット９１は、減算部９２、計算処理部９３及び判定処理部９４を有している。減算部９２、計算処理部９３及び判定処理部９４は、ハードウェアにより実現されてもよいし、プロセッサが減算部９２、計算処理部９３及び判定処理部９４を実現するソフトウェアを実行することによって実現されてもよい。
【００６１】
減算部９２は、例えばデジタルコヒーレント受信器５１のコントローラＡ６３（図７参照）及び受信器７１のコントローラＢ７８（図９参照）に接続されている。減算部９２は、例えばコントローラＡ６３から波長λ1の情報及びコントローラＢ７８からλ2の情報を受け取り、次の（１）式で表されるように、λ2からλ1を減算した値Δλを求める。
【００６２】
Δλ＝λ2−λ1  ・・・（１）
【００６３】
計算処理部９３は、減算部９２及び例えばコントローラＡ６３（図７参照）に接続されている。計算処理部９３は、減算部９２からΔλの情報を受け取り、コントローラＡ６３から残留分散量の情報を受け取る。また、計算処理部９３には、波長分散の波長特性の情報の一例として、例えば分散スロープαの情報が入力される。分散スロープαは、特性の変化量の波長特性の一例である。計算処理部９３は、Δλ、残留分散量及び分散スロープαの各情報に基づいて、次の（２）式で表されるように、分散補償制御量を求める。
【００６４】
図１３は、図１２に示す制御ユニットの動作の一例を説明する図である。図１３に示すように、受信器Ａが受信する光信号の波長λ1、受信器Ａが光信号を受信するときの残留分散量、及び受信器Ｂが受信する光信号の波長λ2の各情報がわかれば、分散スロープαを用いて、受信器Ｂが光信号を受信するときの残留分散量がわかる。従って、計算処理部９３において、受信器Ｂが光信号を受信するときの波長分散を補償するのに好適な分散補償制御量が求まる。図１３に示す例では、計算処理部９３は、次の（２）式に示す計算を行って、分散補償制御量を求める。
【００６５】
［受信器Ｂに対する分散補償制御量］＝［受信器Ａにおける残留分散量］＋α×Δλ  ・・・（２）
【００６６】
分散スロープαは、伝送路特性により決定される係数であり、伝送路特性から一意に決定されてもよい。あるいは、分散スロープαは、予めシステムの稼働時に数波長の最適分散量を検出することによって決定されてもよい。予めシステムの稼働時に数波長の最適分散量を検出することによって分散スロープαを決定する場合、例えば受信器Ａと同様に残留分散量の情報を出力する複数の受信器から、異なる波長に対する複数の残留分散量の情報を取得して、分散スロープαを求めてもよい。分散スロープαの情報は、例えば上位システムから与えられてもよい。分散スロープαの値は、例えば制御ユニット４４（図５参照）内の図示省略するメモリに格納されていてもよい。
【００６７】
なお、図１３に示す例では、波長分散量の波長特性が直線によって近似されているが、高次の関数を用いて近似されていてもよい。高次の関数を用いて近似する場合には、予めシステムの運用を開始する前に、高次の関数で表される近似式の係数を求めておいてもよい。
【００６８】
図１２に示すように、判定処理部９４は、計算処理部９３、例えばデジタルコヒーレント受信器５１のコントローラＡ６３（図７参照）及び受信器７１のコントローラＢ７８（図９参照）に接続されている。判定処理部９４は、計算処理部９３から、受信器Ｂに対する分散補償制御量の情報を受け取る。判定処理部９４は、例えばコントローラＡ６３からＬＯＳ／ＬＯＦ情報、及び例えばコントローラＢ７８からエラー情報を受け取る。
【００６９】
判定処理部９４は、例えばＬＯＳ／ＬＯＦ情報が正常である場合、すなわちＬＯＳ／ＬＯＦ検出ブロック６２（図７参照）において信号の消失またはフレームの損失が検出されない場合に、計算処理部９３から受け取る分散補償制御量の値を更新して出力する。判定処理部９４は、ＬＯＳ／ＬＯＦ情報が正常である場合に、判定処理部９４から出力される分散補償制御量情報をセレクタ８０（図９参照）が選択するような選択制御信号をセレクタ８０へ出力する。
【００７０】
判定処理部９４は、ＬＯＳ／ＬＯＦ検出ブロック６２（図７参照）において信号の消失またはフレームの損失が検出される場合、計算処理部９３から受け取る分散補償制御量の値の更新を停止し、固定値を出力する。判定処理部９４は、信号の消失またはフレームの損失が検出される場合、受信器７１の分散補償ブロックＢ７９（図９参照）から出力される分散補償制御量情報をセレクタ８０（図９参照）が選択するような選択制御信号をセレクタ８０へ出力する。
【００７１】
判定処理部９４は、計算処理部９３から受け取る分散補償制御量の値を更新して出力している状態のときに、エラー情報が劣化する、すなわち誤りの数が増えると、可変分散補償器７２（図９参照）の補償量の設定値が異常であると判断する。判定処理部９４は、可変分散補償器７２の補償量の設定値が異常であると判断すると、出力する分散補償制御量の値を前回の値に戻す。それによって、可変分散補償器７２に前回の補償量が設定される。分散補償制御量の前回の値は、例えば制御ユニット９１内の図示しないメモリに格納されていてもよい。
【００７２】
・制御ユニットの動作の一例
図１４は、図１２に示す制御ユニットの動作の一例を説明する図である。図１４に示すように、制御ユニット９１において動作が開始されると、まず、制御ユニット９１は、制御ユニット９１を有する光受信装置内に、例えば図７に示すデジタルコヒーレント受信器５１のような受信器Ａがあるか否かを判定する（ステップＳ１１）。受信器Ａがある場合（ステップＳ１１：Ｙｅｓ）、判定処理部９４は、受信器ＡからのＬＯＳ／ＬＯＦ情報に基づいて、受信器Ａが正常に信号疎通しているか否かを判定する（ステップＳ１２）。受信器Ａが正常に信号疎通していれば、信号の消失またはフレームの損失が検出されないので、ＬＯＳ／ＬＯＦ情報が正常になる。
【００７３】
受信器Ａが正常に信号疎通している場合（ステップＳ１２：Ｙｅｓ）、判定処理部９４は、例えば図９に示す受信器７１のような受信器Ｂのセレクタ８０が判定処理部９４側を選択する選択制御信号を出力する（ステップＳ１３）。それによって、受信器Ｂのセレクタ８０は、判定処理部９４が出力する分散補償制御量を受信器Ｂの可変分散補償器７２へ出力するように切り替わる。
【００７４】
次いで、制御ユニット９１は、受信器Ａ及び受信器Ｂから制御情報を取得する（ステップＳ１４）。例えば、制御ユニット９１は、受信器Ａから波長λ1の情報、残留分散量の情報、ＬＯＳ／ＬＯＦ情報を取得する。例えば、制御ユニット９１は、受信器Ｂから波長λ2の情報及びエラー情報を取得する。
【００７５】
次いで、制御ユニット９１は、受信器Ａから取得する残留分散量の値を前回の残留分散量の値と比較するときの変化量が許容範囲以上であるか否かを判定する（ステップＳ１５）。変化量が許容範囲未満である場合（ステップＳ１５：Ｎｏ）、制御ユニット９１は、分散補償制御量の計算を行わずに、動作を終了する。この場合、受信器Ｂの可変分散補償器７２に設定される補償量は前回のままである。それに対して、変化量が許容範囲以上である場合（ステップＳ１５：Ｙｅｓ）、計算処理部９３は、減算部９２により求まる波長の差分値Δλと分散スロープαと残留分散量に基づいて、分散補償制御量を計算する（ステップＳ１６）。
【００７６】
次いで、判定処理部９４は、計算処理部９３から分散補償制御量の情報を受け取り、分散補償制御量の情報を受信器Ｂへ出力する（ステップＳ１７）。それによって、受信器Ｂの可変分散補償器７２に、受信器Ａの残留分散量から導かれる補償量が設定され、受信器Ｂにおいて波長λ2の光信号を受信するときの波長分散が補償される。
【００７７】
次いで、判定処理部９４は、エラー情報に基づいて、受信器Ｂの受信信号において誤りの数が増加しているか否かを判定する（ステップＳ１８）。誤りの数が増加している場合（ステップＳ１８：Ｙｅｓ）、判定処理部９４は、受信器Ｂの可変分散補償器７２に設定される補償量が異常であると判断し、前回の分散補償制御量の値を出力する（ステップＳ１９）。それによって、可変分散補償器７２に前回の補償量が設定される。そして、判定処理部９４は、動作を終了する。それに対して、誤りの数が増加していない場合（ステップＳ１８：Ｎｏ）、判定処理部９４は、そのまま動作を終了する。
【００７８】
一方、制御ユニット９１を有する光受信装置内に受信器Ａがあるが、信号の消失またはフレームの損失が検出される場合、受信器Ａが正常に信号疎通していない（ステップＳ１２：Ｎｏ）。この場合には、判定処理部９４は、受信器Ｂのセレクタ８０が受信器Ｂの分散補償ブロックＢ７９側を選択する選択制御信号を出力する（ステップＳ２０）。また、制御ユニット９１を有する光受信装置内に受信器Ａがない場合も（ステップＳ１１：Ｎｏ）、判定処理部９４は、受信器Ｂのセレクタ８０が受信器Ｂの分散補償ブロックＢ７９側を選択する選択制御信号を出力する（ステップＳ２０）。
【００７９】
それによって、受信器Ｂのセレクタ８０は、分散補償ブロックＢ７９が出力する分散補償制御量を受信器Ｂの可変分散補償器７２へ出力するように切り替わる。受信器Ｂの可変分散補償器７２には、受信器Ｂの分散補償ブロックＢ７９により求まる補償量が設定され、受信器Ｂにおいて波長λ2の光信号を受信するときの波長分散が補償される。そして、判定処理部９４は、動作を終了する。なお、ステップＳ１５を省略してもよい。
【００８０】
図５に示す光受信装置４１によれば、受信器Ａ４２の残留分散量に基づいて受信器Ｂ４３の可変分散補償器７２に補償量が設定される。それによって、可変分散補償器７２に補償量が設定されるまでの時間が、従来方法によって可変分散補償器７２に補償量を設定する場合よりも短縮される。従って、光受信装置４１の運用開始時における信号の疎通までの時間や、プロテクション制御によって信号経路の切り替えが実施される場合の切り替えの完了までの時間を短縮することができる。
【００８１】
また、受信器Ａ４２が、デジタル信号処理によって分散補償制御を行うことによって、受信器Ａ４２における信号疎通までの時間が短縮される。それによって、光受信装置４１の運用開始時における信号の疎通までの時間や、プロテクション制御によって信号経路の切り替えが実施される場合の切り替えの完了までの時間をさらに短縮することができる。
【００８２】
また、従来方法によって可変分散補償器７２に補償量を設定する場合には、可変分散補償器７２に補償量が設定されるまでの時間が長いため、運用中における受信器Ｂ４３の分散特性の経時変化に追従することが困難である。それに対して、本実施例によれば、運用中であっても、受信器Ｂ４３の分散特性の経時変化に追従することができる。
【００８３】
また、図５に示す光受信装置４１によれば、受信器Ｂ４３は、受信器Ａ４２の制御情報を用いずに、受信器Ｂ４３のエラー情報に基づいて分散補償制御量を求め、可変分散補償器７２に補償量を設定することができる。従って、受信器Ａ４２が正常に信号疎通していない場合でも、受信器Ｂ４３が光信号を受信するときの波長分散を補償することができる。
【００８４】
また、図５に示す光受信装置４１によれば、受信器Ａ４２及び受信器Ｂ４３が、同一の伝送区間を伝搬してくる光信号を受信することによって、受信器Ａ４２の残留分散量に基づいて、受信器Ｂ４３の可変分散補償器７２に設定する補償量を求めることができる。また、受信器Ａ４２が、波長λ1の情報及び残留分散量の情報を制御ユニット４４へ出力することによって、制御ユニット４４は、受信器Ｂに対する分散補償制御量情報を計算して求めることができる。
【００８５】
・光受信装置の別の例
図１５は、実施の形態にかかる光受信装置の別の例を示す図である。図１６は、図１５に示す光受信装置における信号の流れを示す図である。図１５に示す光受信装置は、図４に示す受信側の光伝送装置２１の一例である。
【００８６】
図１５及び図１６に示すように、光受信装置１０１は、１個以上の受信器Ａ１０２，１０３、１個以上の受信器Ｂ１０４，１０５及び制御ユニット１０６を有している。本実施例では、受信器Ａ及び受信器Ｂが複数個あることを明示する場合には、図１５に示すように、受信器Ａ及び受信器Ｂに添字を付す。
【００８７】
図１５に示す例には、受信器Ａも受信器Ｂも２個ずつ示されているが、受信器Ａの数は１個でもよいし３個以上でもよい。受信器Ｂの数も１個でもよいし３個以上でもよい。ただし、受信器Ａ及び受信器Ｂの数がともに１個ずつである場合は、図５に示す光受信装置４１と同様であるので、本実施例では、受信器Ａ及び受信器Ｂのいずれか一方は２個以上あるとする。
【００８８】
受信器Ａ1１０２及び受信器Ａm１０３は、光信号を受信するときの特性の変化量の情報を出力する受信器の一例である。制御ユニット１０６は、制御部の一例である。受信器Ａ1１０２、受信器Ａm１０３、受信器Ｂn１０４及び受信器Ｂz１０５は、例えばデマルチプレクサ２６（図４参照）に接続されていてもよい。受信器Ａ1１０２、受信器Ａm１０３、受信器Ｂn１０４、受信器Ｂz１０５及び制御ユニット１０６は、それぞれ独立したカードであり、光受信装置１０１の筐体に着脱可能に装着されていてもよい。
【００８９】
受信器Ａ1１０２及び受信器Ａm１０３は、光信号を受信するときの特性の変化量の情報を出力する。本実施例においては、光信号を受信するときの特性の変化が例えば波長分散であるとして説明する。従って、受信器Ａ1１０２は、波長λ1の光信号を受信するときの残留分散量の情報を出力する。受信器Ａm１０３は、波長λmの光信号を受信するときの残留分散量の情報を出力する。
【００９０】
残留分散量の情報を出力する受信器の一例として、例えばデジタルコヒーレント受信器がある。本実施例においては、受信器Ａ1１０２及び受信器Ａm１０３が例えばデジタルコヒーレント受信器であるとして説明する。
【００９１】
また、受信器Ａ1１０２は、波長λ1の情報、及び波長λ1の光信号を受信するときのＬＯＳ／ＬＯＦ情報を出力する。受信器Ａm１０３は、波長λmの情報、及び波長λmの光信号を受信するときのＬＯＳ／ＬＯＦ情報を出力する。受信器Ａ1１０２及び受信器Ａm１０３の一例として、例えば図７に示すデジタルコヒーレント受信器５１が挙げられる。
【００９２】
受信器Ｂn１０４及び受信器Ｂz１０５は、光信号を受信するときの特性の変化を補償するデバイスを有する。特性の変化が例えば波長分散である場合、特性の変化を補償するデバイスは、例えば可変分散補償器であってもよい。本実施例においては、受信器Ｂn１０４及び受信器Ｂz１０５は、可変分散補償器を有するとして説明する。
【００９３】
受信器Ｂn１０４の可変分散補償器には、制御ユニット１０６から供給される分散補償制御量情報に基づいて補償量が設定される。それによって、受信器Ｂn１０４の可変分散補償器は、受信器Ｂn１０４が波長λnの光信号を受信するときの波長分散を補償する。また、受信器Ｂn１０４は、波長λnの光信号を受信するときの誤りを検出し、その検出結果に基づいて、受信器Ｂn１０４の可変分散補償器に補償量を設定することができるようになっている。
【００９４】
受信器Ｂn１０４は、制御ユニット１０６から供給される選択制御信号に基づいて受信器Ｂn１０４の可変分散補償器に、分散補償制御量情報に基づいて補償量を設定するか、誤りの検出情報に基づいて補償量を設定するか、を選択する。また、受信器Ｂn１０４は、波長λnの情報を出力する。また、受信器Ｂn１０４は、誤りの検出結果であるエラー情報を出力する。
【００９５】
受信器Ｂz１０５の可変分散補償器には、制御ユニット１０６から供給される分散補償制御量情報に基づいて補償量が設定される。それによって、受信器Ｂz１０５の可変分散補償器は、受信器Ｂz１０５が波長λzの光信号を受信するときの波長分散を補償する。また、受信器Ｂz１０５は、波長λzの光信号を受信するときの誤りを検出し、その検出結果に基づいて、受信器Ｂz１０５の可変分散補償器に補償量を設定することができるようになっている。
【００９６】
受信器Ｂz１０５は、制御ユニット１０６から供給される選択制御信号に基づいて受信器Ｂz１０５の可変分散補償器に、分散補償制御量情報に基づいて補償量を設定するか、誤りの検出情報に基づいて補償量を設定するか、を選択する。また、受信器Ｂz１０５は、波長λzの情報を出力する。また、受信器Ｂz１０５は、誤りの検出結果であるエラー情報を出力する。受信器Ｂn１０４及び受信器Ｂz１０５の一例として、例えば図９に示す受信器７１が挙げられる。
【００９７】
制御ユニット１０６は、受信器Ａ1１０２、受信器Ａm１０３、受信器Ｂn１０４及び受信器Ｂz１０５に接続されている。制御ユニット１０６は、受信器Ａ1１０２から、受信器Ａ1１０２が波長λ1の光信号を受信するときのＬＯＳ／ＬＯＦ情報及び残留分散量の情報、並びに波長λ1の情報を受け取る。制御ユニット１０６は、受信器Ａm１０３から、受信器Ａm１０３が波長λmの光信号を受信するときのＬＯＳ／ＬＯＦ情報及び残留分散量の情報、並びに波長λmの情報を受け取る。
【００９８】
制御ユニット１０６は、受信器Ｂn１０４から、受信器Ｂn１０４が波長λnの光信号を受信するときのエラー情報、及び波長λnの情報を受け取る。制御ユニット１０６は、受信器Ｂz１０５から、受信器Ｂz１０５が波長λzの光信号を受信するときのエラー情報、及び波長λzの情報を受け取る。
【００９９】
制御ユニット１０６は、複数ある受信器Ａ1１０２及び受信器Ａm１０３のうち、正常に信号が疎通しているいずれか一つの受信器Ａを選択する。制御ユニット１０６は、この選択される受信器Ａの波長の情報及び残留分散量に基づいて、受信器Ｂn１０４及び受信器Ｂz１０５のそれぞれに対する分散補償制御量情報を生成する。制御ユニット１０６は、受信器Ｂn１０４及び受信器Ｂz１０５のそれぞれからのＬＯＳ／ＬＯＦ情報に基づいて、受信器Ｂn１０４及び受信器Ｂz１０５のそれぞれに対する選択制御信号を生成する。
【０１００】
・制御ユニットの一例
図１７は、図１５に示す光受信装置の制御ユニットの一例を示す図である。図１７に示すように、制御ユニット１１１は、第１判定処理部１１２、計算処理部１１３及び第２判定処理部１１４を有している。第１判定処理部１１２、計算処理部１１３及び第２判定処理部１１４は、ハードウェアにより実現されてもよいし、プロセッサが第１判定処理部１１２、計算処理部１１３及び第２判定処理部１１４を実現するソフトウェアを実行することによって実現されてもよい。
【０１０１】
第１判定処理部１１２は、各受信器Ａの例えばデジタルコヒーレント受信器５１のコントローラＡ６３（図７参照）に接続されている。第１判定処理部１１２は、各受信器Ａの例えばコントローラＡ６３から各受信器Ａの波長λの情報、ＬＯＳ／ＬＯＦ情報及び残留分散量の情報を受け取る。第１判定処理部１１２は、各受信器Ａに対して正常に信号が疎通しているか否かを判定し、正常に信号が疎通している受信器Ａが１個以上あれば、正常に信号が疎通しているいずれか一つの受信器Ａを選択する。第１判定処理部１１２は、選択される受信器Ａが受信する光信号の波長λの情報、並びに選択される受信器Ａが波長λの光信号を受信するときのＬＯＳ／ＬＯＦ情報及び残留分散量の情報を出力する。
【０１０２】
計算処理部１１３は、第１判定処理部１１２及び各受信器Ｂの例えば受信器７１のコントローラＢ７８（図９参照）に接続されている。計算処理部１１３は、第１判定処理部１１２から、選択される受信器Ａの波長λの情報及び残留分散量の情報を受け取る。計算処理部１１３は、各受信器Ｂの例えばコントローラＢ７８から、各受信器Ｂが受信する光信号の波長λの情報を受け取る。計算処理部１１３は、各受信器Ｂの波長λ及び分散スロープαを用いて、図１２に示す制御ユニット９１において減算部９２及び計算処理部９３により実行される計算と同様の計算を行い、各受信器Ｂに対する分散補償制御量を求める。
【０１０３】
第２判定処理部１１４は、第１判定処理部１１２、計算処理部１１３及び各受信器Ｂの例えば受信器７１のコントローラＢ７８（図９参照）に接続されている。第２判定処理部１１４は、第１判定処理部１１２から、選択される受信器ＡのＬＯＳ／ＬＯＦ情報を受け取る。第２判定処理部１１４は、計算処理部１１３から、各受信器Ｂに対する分散補償制御量の情報を受け取る。第２判定処理部１１４は、各受信器Ｂの例えばコントローラＢ７８からエラー情報を受け取る。
【０１０４】
第２判定処理部１１４は、例えばＬＯＳ／ＬＯＦ情報が正常である場合、すなわちＬＯＳ／ＬＯＦ検出ブロック６２（図７参照）において信号の消失またはフレームの損失が検出されない場合に、計算処理部１１３から受け取る各受信器Ｂに対する分散補償制御量の値を更新して出力する。第２判定処理部１１４は、ＬＯＳ／ＬＯＦ情報が正常である場合に、第２判定処理部１１４から出力される分散補償制御量情報を各受信器にＢのセレクタ８０（図９参照）が選択するような選択制御信号をセレクタ８０へ出力する。
【０１０５】
第２判定処理部１１４は、ＬＯＳ／ＬＯＦ検出ブロック６２（図７参照）において信号の消失またはフレームの損失が検出される場合、計算処理部１１３から受け取る分散補償制御量の値の更新を停止し、各受信器Ｂに対して固定値を出力する。第２判定処理部１１４は、信号の消失またはフレームの損失が検出される場合、各受信器Ｂにおいて受信器７１の分散補償ブロックＢ７９（図９参照）から出力される分散補償制御量情報をセレクタ８０（図９参照）が選択するような選択制御信号をセレクタ８０へ出力する。
【０１０６】
第２判定処理部１１４は、計算処理部１１３から受け取る各受信器Ｂに対する分散補償制御量の値を更新して出力している状態のときに、エラー情報が劣化する、すなわち誤りの数が増えると、各受信器Ｂの可変分散補償器７２（図９参照）の補償量の設定値が異常であると判断する。第２判定処理部１１４は、各受信器Ｂの可変分散補償器７２の補償量の設定値が異常であると判断すると、各受信器Ｂに対して出力する分散補償制御量の値を前回の値に戻す。それによって、各受信器Ｂの可変分散補償器７２に前回の補償量が設定される。分散補償制御量の前回の値は、例えば制御ユニット１１１内の図示しないメモリに格納されていてもよい。
【０１０７】
・制御ユニットの動作の一例
図１８は、図１７に示す制御ユニットの動作の一例を説明する図である。図１８に示すように、制御ユニット１１１において動作が開始されると、まず、制御ユニット１１１は、制御ユニット１１１を有する光受信装置内に、例えば図７に示すデジタルコヒーレント受信器５１のような受信器Ａが１個以上あるか否かを判定する（ステップＳ３１）。１個以上の受信器Ａがある場合（ステップＳ３１：Ｙｅｓ）、第１判定処理部１１２は、各受信器ＡからのＬＯＳ／ＬＯＦ情報に基づいて、正常に信号疎通している受信器Ａがあるか否かを判定する（ステップＳ３２）。受信器Ａが正常に信号疎通していれば、信号の消失またはフレームの損失が検出されないので、ＬＯＳ／ＬＯＦ情報が正常になる。
【０１０８】
正常に信号疎通している受信器Ａがある場合（ステップＳ３２：Ｙｅｓ）、第１判定処理部１１２は、この正常に信号疎通している受信器Ａを選択する。正常に信号疎通している受信器Ａが複数個ある場合には、第１判定処理部１１２は、正常に信号疎通している複数の受信器Ａの中から任意に一つを選択する。そして、第１判定処理部１１２により選択される受信器ＡのＬＯＳ／ＬＯＦ情報に基づいて、第２判定処理部１１４は、例えば図９に示す受信器７１のような各受信器Ｂのセレクタ８０が第２判定処理部１１４側を選択する選択制御信号を各受信器Ｂへ出力する（ステップＳ３３）。それによって、各受信器Ｂにおいて、セレクタ８０は、第２判定処理部１１４が出力する分散補償制御量を可変分散補償器７２へ出力するように切り替わる。
【０１０９】
次いで、制御ユニット１１１は、第１判定処理部１１２により選択される受信器Ａ及び各受信器Ｂの制御情報を取得する（ステップＳ３４）。例えば、計算処理部１１３は、第１判定処理部１１２から、第１判定処理部１１２により選択される受信器Ａの波長λの情報及び残留分散量の情報を取得する。例えば、計算処理部１１３は、各受信器Ｂから、各受信器Ｂが受信する光信号の波長λn及びλzの情報を取得する。また、例えば、第２判定処理部１１４は、第１判定処理部１１２から、第１判定処理部１１２により選択される受信器ＡのＬＯＳ／ＬＯＦ情報を取得する。第２判定処理部１１４は、各受信器Ｂからエラー情報を取得する。
【０１１０】
次いで、計算処理部１１３は、第１判定処理部１１２により選択される受信器Ａの残留分散量の値を前回の残留分散量の値と比較するときの変化量が許容範囲以上であるか否かを判定する（ステップＳ３５）。変化量が許容範囲未満である場合（ステップＳ３５：Ｎｏ）、制御ユニット１１１は、分散補償制御量の計算を行わずに、動作を終了する。この場合、各受信器Ｂの可変分散補償器７２に設定される補償量は前回のままである。変化量が許容範囲以上である場合（ステップＳ３５：Ｙｅｓ）、計算処理部１１３は、各受信器Ｂが受信する光信号の波長、第１判定処理部１１２により選択される受信器Ａの波長及び残留分散量、並びに分散スロープαに基づいて、各受信器Ｂの分散補償制御量を計算する（ステップＳ３６）。
【０１１１】
次いで、第２判定処理部１１４は、計算処理部１１３から各受信器Ｂの分散補償制御量の情報を受け取り、各分散補償制御量の情報を対応する受信器Ｂへ出力する（ステップＳ３７）。それによって、各受信器Ｂの可変分散補償器７２に、第１判定処理部１１２により選択される受信器Ａの残留分散量から導かれる補償量が設定され、各受信器Ｂにおいて波長分散が補償される。
【０１１２】
次いで、第２判定処理部１１４は、各受信器Ｂのエラー情報に基づいて、各受信器Ｂの受信信号において誤りの数が増加しているか否かを判定する（ステップＳ３８）。誤りの数が増加している場合（ステップＳ３８：Ｙｅｓ）、第２判定処理部１１４は、誤りが増加する受信器Ｂの可変分散補償器７２に設定される補償量が異常であると判断し、誤りが増加する受信器Ｂへ前回の分散補償制御量の値を出力する（ステップＳ３９）。それによって、誤りが増加する受信器Ｂの可変分散補償器７２に前回の補償量が設定される。そして、第２判定処理部１１４は、動作を終了する。それに対して、誤りの数が増加していない場合（ステップＳ３８：Ｎｏ）、第２判定処理部１１４は、そのまま動作を終了する。
【０１１３】
一方、制御ユニット１１１を有する光受信装置内に１個以上の受信器Ａがあるが、いずれの受信器Ａでも信号の消失またはフレームの損失が検出される場合、いずれの受信器Ａも正常に信号疎通していない（ステップＳ３２：Ｎｏ）。この場合には、第２判定処理部１１４は、各受信器Ｂのセレクタ８０が分散補償ブロックＢ７９側を選択する選択制御信号を各受信器Ｂへ出力する（ステップＳ４０）。また、制御ユニット１１１を有する光受信装置内に受信器Ａがない場合も（ステップＳ３１：Ｎｏ）、第２判定処理部１１４は、各受信器Ｂのセレクタ８０が分散補償ブロックＢ７９側を選択する選択制御信号を各受信器Ｂへ出力する（ステップＳ４０）。
【０１１４】
それによって、各受信器Ｂにおいて、セレクタ８０は、分散補償ブロックＢ７９が出力する分散補償制御量を可変分散補償器７２へ出力するように切り替わる。各受信器Ｂにおいて、可変分散補償器７２には、分散補償ブロックＢ７９により求まる補償量が設定され、各受信器Ｂにおいて波長分散が補償される。そして、第２判定処理部１１４は、動作を終了する。なお、ステップＳ３５を省略してもよい。
【０１１５】
図１５に示す光受信装置１０１によれば、受信器Ｂが複数個ある場合でも、正常に信号が疎通している受信器Ａの残留分散量に基づいて各受信器Ｂの可変分散補償器７２に補償量が設定される。それによって、各受信器Ｂの可変分散補償器７２に補償量が設定されるまでの時間が、従来方法によって可変分散補償器７２に補償量を設定する場合よりも短縮される。従って、光受信装置の運用開始時における信号の疎通までの時間や、プロテクション制御によって信号経路の切り替えが実施される場合の切り替えの完了までの時間を短縮することができる。
【０１１６】
なお、図５に示す光受信装置４１または図１５に示す光受信装置１０１において、受信器Ａはデジタルコヒーレント受信器に限らず、光信号を受信するときの特性の変化量の情報を出力する受信器であればよい。例えば、受信器Ａは、ＥＤＣ（Ｅｌｅｃｔｒｏｎｉｃ  Ｄｉｓｐｅｒｓｉｏｎ  Ｃｏｍｐｅｎｓａｔｉｏｎ）によって残留分散量の情報を出力可能な受信器であってもよい。
【０１１７】
また、図５に示す光受信装置４１または図１５に示す光受信装置１０１において、受信器Ｂの特性の変化を補償するデバイスは、可変分散補償器に限らない。特性の変化を補償するデバイスの一例として、例えばＰＭＤＣ（Ｐｏｌａｒｉｚａｔｉｏｎ  Ｍｏｄｅ  Ｄｉｓｐｅｒｓｉｏｎ  Ｃｏｍｐｅｎｓａｔｏｒ）などの偏波モード分散特性を補償するデバイスが挙げられる。受信器Ｂが、偏波モード分散特性を補償するデバイスを有する場合には、受信器Ａが、偏波モード分散の情報を出力すればよい。偏波モード分散を補償する場合の制御内容は、上述する各実施例と同様である。
【０１１８】
・光伝送システムの別の例
図１９は、実施の形態にかかる光伝送システムの別の例を示す図である。図１９に示すように、光伝送システムは、例えば光伝送装置Ｗ１２１、光伝送装置Ｘ１２２、光伝送装置Ｙ１２３及び光伝送装置Ｚ１２４を有していてもよい。光伝送装置Ｘ１２２は、図示省略する光ファイバなどの光伝送路を介して光伝送装置Ｗ１２１に接続されている。光伝送装置Ｙ１２３は、図示省略する光ファイバなどの光伝送路を介して光伝送装置Ｘ１２２に接続されている。光伝送装置Ｚ１２４は、図示省略する光ファイバなどの光伝送路を介して光伝送装置Ｙ１２３に接続されている。
【０１１９】
光伝送装置Ｗ１２１は、例えば送信器１２５，１２６及び制御ユニット１２７を有していてもよい。いずれの送信器１２５，１２６も、例えばデータ転送速度が１００ＧｂｐｓであるＤＰＱＰＳＫ方式の光信号を送信してもよい。制御ユニット１２７は、送信器１２５，１２６を制御する。光伝送装置Ｘ１２２は、例えば光信号を受信する受信器１２８、光信号を送信する送信器１２９、並びに受信器１２８及び送信器１２９を制御する制御ユニット１３０を有していてもよい。
【０１２０】
光伝送装置Ｙ１２３は、受信器Ａ１３１、送信器１３２及び制御ユニット１３３を有していてもよい。受信器Ａ１３１は、光信号を受信するときの特性の変化量の情報を出力する受信器の一例であり、例えば残留分散量の情報を出力するデジタルコヒーレント受信器であってもよい。受信器Ａ１３１の一例として、例えば図７に示すデジタルコヒーレント受信器５１が挙げられる。受信器Ａ１３１は、光伝送装置Ｗ１２１の一方の送信器１２６から送信される光信号を受信する。
【０１２１】
送信器１３２は、例えばデータ転送速度が４０ＧｂｐｓであるＤＱＰＳＫ方式の光信号を送信してもよい。制御ユニット１３３は、受信器Ａ１３１及び送信器１３２を制御する。制御ユニット１３３は、制御部の一例であり、例えば図１２または図１７に示す制御ユニット９１，１１１が挙げられる。
【０１２２】
光伝送装置Ｚ１２４は、受信器Ｂ１３４、受信器Ａ１３５及び制御ユニット１３６を有していてもよい。受信器Ａ１３５は、光信号を受信するときの特性の変化量の情報を出力する受信器の一例であり、例えば残留分散量の情報を出力するデジタルコヒーレント受信器であってもよい。受信器Ａ１３５の一例として、例えば図７に示すデジタルコヒーレント受信器５１が挙げられる。受信器Ａ１３５は、光伝送装置Ｗ１２１の他方の送信器１２５から送信される光信号を受信する。
【０１２３】
受信器Ｂ１３４は、光信号を受信するときの特性の変化を補償するデバイス、例えば可変分散補償器を有する。受信器Ｂ１３４の一例として、例えば図９に示す受信器７１が挙げられる。受信器Ｂ１３４は、光伝送装置Ｙ１２３の送信器１３２から送信される光信号を受信する。制御ユニット１３６は、受信器Ｂ１３４及び受信器Ａ１３５を制御する。制御ユニット１３６は、制御部の一例であり、例えば図１２または図１７に示す制御ユニット９１，１１１が挙げられる。
【０１２４】
光伝送装置Ｗ１２１、光伝送装置Ｘ１２２、光伝送装置Ｙ１２３及び光伝送装置Ｚ１２４は、ＯＳＣ（Ｏｐｔｉｃａｌ  Ｓｕｐｅｒｖｉｓｏｒｙ  Ｃｈａｎｎｅｌ）信号によって、装置間で種々の情報を伝達することができるようになっている。ＯＳＣ信号によって装置間で伝達される情報の一例として、例えば各光伝送装置が受信する光信号の波長の情報、及び各光伝送装置が光信号を受信するときの特性の変化量の情報が挙げられる。
【０１２５】
光伝送装置Ｚ１２４の受信器Ｂ１３４は、光伝送装置Ｚ１２４の受信器Ａ１３５及び光伝送装置Ｙ１２３の受信器Ａ１３１からそれぞれ出力される波長及び残留分散量の各情報に基づいて、光伝送装置Ｙ１２３の送信器１３２からの光信号を受信するときの波長分散を補償してもよい。光伝送装置Ｙ１２３の受信器Ａ１３１から出力される波長及び残留分散量の各情報は、ＯＳＣ信号によって光伝送装置Ｚ１２４へ伝達される。
【０１２６】
光伝送装置Ｚ１２４の受信器Ａ１３５からは、受信器Ａ１３５が受信する光信号の波長の情報、及び受信器Ａ１３５が光伝送装置Ｗ１２１の送信器１２５からの光信号を受信するときの残留分散量の情報が出力される。光伝送装置Ｙ１２３の受信器Ａ１３１からは、受信器Ａ１３１が受信する光信号の波長の情報、及び受信器Ａ１３１が光伝送装置Ｗ１２１の送信器１２６からの光信号を受信するときの残留分散量の情報が出力される。
【０１２７】
・信号疎通区間管理テーブル
図２０は、図１９に示す光伝送システムの信号疎通区間テーブルの一例を示す図である。光伝送装置Ｚ１２４において、制御ユニット１３６は、図２０に示すような信号疎通区間テーブル１４１を作成してもよい。図２０に示すように、信号疎通区間テーブル１４１によって、送信ノードとなる光伝送装置と受信ノードとなる光伝送装置との組み合わせに対して、受信器が、特性の変化量の情報を出力する受信器Ａであるか、特性の変化を補償するデバイスを有する受信器Ｂであるか、ということが管理される。図２０に示す信号疎通区間テーブル１４１によれば、例えば送信ノードが光伝送装置Ｗ１２１であり、受信ノードが光伝送装置Ｙ１２３である伝送区間に対して、受信器は受信器Ａである。
【０１２８】
・制御ユニットの動作の一例
図２１は、図１９に示す光伝送装置Ｚの制御ユニットの動作の一例を説明する図である。図２１に示すように、光伝送装置Ｚ１２４の制御ユニット１３６において動作が開始されると、まず、制御ユニット１３６は、自装置である光伝送装置Ｚ１２４内に、受信器Ａ及び受信器Ｂが存在するか否かを判定する（ステップＳ５１）。受信器Ａは、特性の変化量の情報を出力する受信器である。受信器Ｂは、特性の変化を補償するデバイスを有する受信器である。
【０１２９】
受信器Ａ１３５及び受信器Ｂ１３４が存在する場合（ステップＳ５１：Ｙｅｓ）、制御ユニット１３６は、上流の光伝送装置Ｙ１２３から送信されるＯＳＣ信号によって伝達される情報を用いて、受信器Ｂ１３４の信号疎通区間を確認する（ステップＳ５２）。図１９に示す例では、受信器Ｂ１３４の信号疎通区間は、光伝送装置Ｙ１２３−光伝送装置Ｚ１２４である。
【０１３０】
次いで、制御ユニット１３６は、ＯＳＣ信号によって伝達される情報を用いて、自装置である光伝送装置Ｚ１２４を含む上流側において全ての受信器Ａの信号疎通区間を取得する（ステップＳ５３）。図１９に示す例では、受信器Ａの信号疎通区間は、光伝送装置Ｗ１２１−光伝送装置Ｚ１２４と、光伝送装置Ｗ１２１−光伝送装置Ｙ１２３とである。なお、ステップＳ５２とステップＳ５３とは、いずれが先であってもよい。そして、制御ユニット１３６は、例えば図２０に示す信号疎通区間テーブル１４１を作成してもよい。
【０１３１】
次いで、制御ユニット１３６は、例えば信号疎通区間テーブル１４１に基づいて、ステップＳ５３で取得される全ての受信器Ａの信号疎通区間のうち、ステップＳ５２で確認される受信器Ｂ１３４の信号疎通区間と同じ区間の受信器Ａがあるか否かを判定する（ステップＳ５４）。受信器Ｂ１３４の信号疎通区間と同じ区間の受信器Ａがある場合（ステップＳ５４：Ｙｅｓ）、制御ユニット１３６は、例えば図１４または図１８に示すフローチャートに従って、受信器Ｂ１３４の特性補償制御を実施し（ステップＳ５５）、動作を終了する。
【０１３２】
受信器Ｂ１３４の信号疎通区間と同じ区間の受信器Ａがない場合（ステップＳ５４：Ｎｏ）、制御ユニット１３６は、ステップＳ５２で確認される受信器Ｂ１３４の信号疎通区間を、ステップＳ５３で取得される各受信器Ａの信号疎通区間により表すことができるか否かを判定する（ステップＳ５６）。図１９に示す例では、光伝送装置Ｚ１２４の受信器Ａ１３５の信号疎通区間は光伝送装置Ｗ１２１−光伝送装置Ｚ１２４であり、光伝送装置Ｙ１２３の受信器Ａ１３１の信号疎通区間は光伝送装置Ｗ１２１−光伝送装置Ｙ１２３である。
【０１３３】
従って、光伝送装置Ｚ１２４の受信器Ａ１３５の信号疎通区間と光伝送装置Ｙ１２３の受信器Ａ１３１の信号疎通区間との差分は、光伝送装置Ｚ１２４の受信器Ｂ１３４の信号疎通区間と同じである。つまり、受信器Ｂ１３４の信号疎通区間は、受信器Ａ１３５の信号疎通区間と受信器Ａ１３１の信号疎通区間との差分により表される。
【０１３４】
また、図示しないが、受信器Ｂの信号疎通区間が光伝送装置Ｗ１２１−光伝送装置Ｚ１２４であり、受信器Ａの信号疎通区間が光伝送装置Ｗ１２１−光伝送装置Ｘ１２２と光伝送装置Ｘ１２２−光伝送装置Ｚ１２４とである場合がある。この場合には、受信器Ｂの信号疎通区間は、二つの受信器Ａの信号疎通区間の和で表される。
【０１３５】
受信器Ｂ１３４の信号疎通区間を各受信器Ａの信号疎通区間により表すことができる場合（ステップＳ５６：Ｙｅｓ）、制御ユニット１３６は、受信器Ｂ１３４の信号疎通区間を表すのに用いられる各受信器Ａの波長及び残留分散量の各情報を取得する（ステップＳ５７）。各受信器Ａの波長及び残留分散量の各情報は、ＯＳＣ信号によって伝達される情報に含まれている。ステップＳ５６がＮｏの場合、ステップＳ６０を行う。
【０１３６】
次いで、制御ユニット１３６は、受信器Ｂ１３４の信号疎通区間を表すのに用いられる各受信器Ａの波長及び残留分散量の各情報、受信器Ｂ１３４が受信する光信号の波長の情報、並びに分散スロープαの情報に基づいて、受信器Ｂ１３４の分散補償制御量を計算して求める（ステップＳ５８）。図１９に示す例では、光伝送装置Ｚ１２４の受信器Ａ１３５が受信する光信号の波長及び残留分散量、受信器Ｂ１３４が受信する光信号の波長、並びに分散スロープαの各情報に基づいて、光伝送装置Ｗ１２１−光伝送装置Ｚ１２４の信号疎通区間に対する分散補償制御量が求まる。
【０１３７】
また、光伝送装置Ｙ１２３の受信器Ａ１３１が受信する光信号の波長及び残留分散量、受信器Ｂ１３４が受信する光信号の波長、並びに分散スロープαの各情報に基づいて、光伝送装置Ｗ１２１−光伝送装置Ｙ１２３の信号疎通区間に対する分散補償制御量が求まる。光伝送装置Ｗ１２１−光伝送装置Ｚ１２４の信号疎通区間に対する分散補償制御量から光伝送装置Ｗ１２１−光伝送装置Ｙ１２３の信号疎通区間に対する分散補償制御量を減算することによって、光伝送装置Ｙ１２３−光伝送装置Ｚ１２４の信号疎通区間に対する分散補償制御量が求まる。
【０１３８】
次いで、制御ユニット１３６は、光伝送装置Ｙ１２３−光伝送装置Ｚ１２４の信号疎通区間に対する分散補償制御量の情報を受信器Ｂ１３４へ出力する（ステップＳ５９）。それによって、受信器Ｂ１３４の可変分散補償器に補償量が設定され、受信器Ｂ１３４が光伝送装置Ｙ１２３の送信器１３２から光信号を受信するときの波長分散が補償される。そして、制御ユニット１３６は、動作を終了する。
【０１３９】
一方、光伝送装置Ｚ１２４内に受信器Ａが存在しない場合（ステップＳ５１：Ｎｏ）、制御ユニット１３６は、受信器Ｂ１３４が分散補償制御量を導出するように切り替える（ステップＳ６０）。受信器Ｂ１３４は、例えば可変分散補償器の制御範囲の全域に対して補償量を少しずつ変えながら、誤りの発生数が最も小さくなるときの分散補償制御量を求める。それによって、受信器Ｂ１３４の可変分散補償器に補償量が設定され、受信器Ｂ１３４が光伝送装置Ｙ１２３の送信器１３２から光信号を受信するときの波長分散が補償される。そして、制御ユニット１３６は、動作を終了する。
【０１４０】
なお、例えば図１４に示すフローチャートのステップＳ１８〜ステップＳ１９のように、受信器Ｂ１３４の受信信号の誤り数が増加する場合に前回の分散補償制御量に戻すようにしてもよい。
【０１４１】
図１９に示す光伝送システムによれば、光伝送装置Ｚ１２４の受信器Ｂ１３４の信号疎通区間が複数の受信器Ａの信号疎通区間の差や和で表されることがある。このような場合、受信器Ｂ１３４の信号疎通区間を表すのに用いられる各受信器Ａの残留分散量の差や和によって受信器Ｂ１３４の可変分散補償器に補償量が設定される。それによって、受信器Ｂ１３４の可変分散補償器に補償量が設定されるまでの時間が、従来方法によって可変分散補償器に補償量を設定する場合よりも短縮される。従って、光受信装置の運用開始時における信号の疎通までの時間や、プロテクション制御によって信号経路の切り替えが実施される場合の切り替えの完了までの時間を短縮することができる。
【０１４２】
上述した各実施例を含む実施形態に関し、さらに以下の付記を開示する。
【０１４３】
（付記１）光信号を受信するときの特性の変化量を補償する補償部と、第１波長の光信号に対する前記特性の第１変化量、前記第１波長、及び前記特性の変化量の波長特性に基づいて、前記第１波長と異なる第２波長の光信号を受信するときの前記特性の第２変化量を求め、前記第２変化量に基づいて補償量を求める制御部と、前記補償部に前記補償量を設定する第１設定部と、を備えることを特徴とする光受信装置。
【０１４４】
（付記２）前記第１変化量及び前記第２変化量は、同一の伝送区間に対する前記特性の変化量であることを特徴とする付記１に記載の光受信装置。
【０１４５】
（付記３）前記第１波長の光信号を受信し、前記第１波長及び前記第１変化量に関する情報を前記制御部へ供給する受信器を備えることを特徴とする付記１または２に記載の光受信装置。
【０１４６】
（付記４）前記受信器は、デジタル信号処理によって前記特性の変化量を求めて補償することを特徴とする付記３に記載の光受信装置。
【０１４７】
（付記５）前記第２波長の光信号の第２伝送区間が、前記第１波長の光信号の第１伝送区間と、前記第２波長と異なる第３波長の光信号の第３伝送区間との和または差で表される場合、前記制御部は、前記第１波長の光信号が前記第１伝送区間を伝搬する場合の前記特性の変化量、前記第１波長、及び前記特性の変化量の波長特性に基づいて、前記第２波長の光信号が前記第１伝送区間を伝搬する場合の前記特性の第３変化量を求め、前記第３波長の光信号が前記第３伝送区間を伝搬する場合の前記特性の変化量、前記第３波長、及び前記特性の変化量の波長特性に基づいて、前記第２波長の光信号が前記第３伝送区間を伝搬する場合の前記特性の第４変化量を求め、前記第３変化量と前記第４変化量との和または差に基づいて、前記第２伝送区間を伝搬する前記第２波長の光信号を受信するときの前記特性の第２変化量を求めることを特徴とする付記１に記載の光受信装置。
【０１４８】
（付記６）前記第２波長の光信号に対して誤りを検出する検出部と、前記補償部の補償量を変えながら前記誤りの変化を監視し、前記誤りの監視結果に基づいて、前記第２波長の光信号を受信するときの前記特性の第５変化量を求め、前記第５変化量に基づいて前記補償部に補償量を設定する第２設定部と、前記誤りの検出結果に基づいて、前記第１設定部による補償量の設定及び前記第２設定部による補償量の設定のいずれかを選択する選択部と、を備えることを特徴とする付記１乃至５のいずれか一項に記載の光受信装置。
【０１４９】
（付記７）前記特性の変化量は、波長分散量であることを特徴とする付記１乃至６のいずれか一項に記載の光受信装置。
【０１５０】
（付記８）第１波長の光信号に対する特性の第１変化量、前記第１波長、及び前記特性の変化量の波長特性に基づいて、前記第１波長と異なる第２波長の光信号を受信するときの前記特性の第２変化量を求め、前記第２変化量に基づいて前記第２変化量を補償する補償量を求め、光信号を受信するときの特性の変化量を補償する補償部に前記補償量を設定することを特徴とする特性補償方法。
【０１５１】
（付記９）前記第１変化量及び前記第２変化量は、同一の伝送区間に対する前記特性の変化量であることを特徴とする付記８に記載の特性補償方法。
【０１５２】
（付記１０）前記第２波長の光信号の第２伝送区間が、前記第１波長の光信号の第１伝送区間と、前記第２波長と異なる第３波長の光信号の第３伝送区間との和または差で表される場合、前記第１波長の光信号が前記第１伝送区間を伝搬する場合の前記特性の変化量、前記第１波長、及び前記特性の変化量の波長特性に基づいて、前記第２波長の光信号が前記第１伝送区間を伝搬する場合の前記特性の第３変化量を求め、前記第３波長の光信号が前記第３伝送区間を伝搬する場合の前記特性の変化量、前記第３波長、及び前記特性の変化量の波長特性に基づいて、前記第２波長の光信号が前記第３伝送区間を伝搬する場合の前記特性の第４変化量を求め、前記第３変化量と前記第４変化量との和または差に基づいて、前記第２伝送区間を伝搬する前記第２波長の光信号を受信するときの前記特性の第２変化量を求めることを特徴とする付記８に記載の特性補償方法。
【符号の説明】
【０１５３】
１，４１，１０１  光受信装置
２，４４，１０６，１３６  制御部
３，６３  第１設定部
４，７２  補償部
４２，１０２，１０３  受信器
７７  検出部
７９  第２設定部
８０  選択部
【図１】
2014023068.tif 000003
【図２】
2014023068.tif 000004
【図３】
2014023068.tif 000005
【図４】
2014023068.tif 000006
【図５】
2014023068.tif 000007
【図６】
2014023068.tif 000008
【図７】
2014023068.tif 000009
【図８】
2014023068.tif 000010
【図９】
2014023068.tif 000011
【図１０】
2014023068.tif 000012
【図１１】
2014023068.tif 000013
【図１２】
2014023068.tif 000014
【図１３】
2014023068.tif 000015
【図１４】
2014023068.tif 000016
【図１５】
2014023068.tif 000017
【図１６】
2014023068.tif 000018
【図１７】
2014023068.tif 000019
【図１８】
2014023068.tif 000020
【図１９】
2014023068.tif 000021
【図２０】
2014023068.tif 000022
【図２１】
2014023068.tif 000023